(57)【要約】【課題】ベルトの保守点検時期を発報し、適切な点検時期を使用者に知らせることができるようにすることを課題とする。【解決手段】ベルト駆動の送風機を備えた空気調和装置において、前記送風機１または送風機駆動用モータ５の駆動時間を積算すると共に、予め設定した所定の駆動時間と積算した前記駆動時間とを比較演算する積算制御装置とを備え、前記積算制御装置により積算した駆動時間が前記予め設定した所定の駆動時間に達したことを検出した時に、前記積算制御装置から空気調和装置を操作するリモコン装置またはベルト張力の低下異常を知らせる点検ランプにベルト異常を発報するようにした。【選択図】  図１
2007255758.tif 000002
【特許請求の範囲】
【請求項１】
ベルト駆動の送風機を備えた空気調和装置において、前記送風機または送風機駆動用モータの駆動時間を積算すると共に、予め設定した所定の駆動時間と積算した前記駆動時間とを比較演算する積算制御装置とを備え、前記積算制御装置により積算した駆動時間が前記予め設定した所定の駆動時間に達したことを検出した時に、前記積算制御装置から空気調和装置を操作するリモコン装置またはベルト張力の低下異常を知らせる点検ランプにベルト異常を発報するようにしたことを特徴とする空気調和装置。
【請求項２】
ベルト駆動の送風機を備えた空気調和装置において、ベルトを介して前記送風機を駆動させるモータのモータ固定台もしくはモータ脚部または前記モータ固定台を設置する設置面に歪みセンサを設け、前記ベルトの張力低下による前記モータ脚部またはモータ固定台の変位を前記歪みセンサによって検出し、予め設定した所定の変位量に達した時に、制御装置によって空気調和装置を操作するリモコン装置またはベルト張カの低下異常を知らせる点検ランプにベルト異常を発報するようにしたことを特徴とする空気調和装置。
【請求項３】
ベルト駆動の送風機を備えた空気調和装置において、ベルトを介して前記送風機を駆動させるモータのモータ固定台もしくは前記モータのモータ脚部または前記モータ固定台を設置する設置面に歪みセンサを設け、さらに、前記ベルトの張力を調整する張力補正機構を設け、前記ベルトの張力低下を前記歪みセンサによって検出した時に、手動または制御装置を介し前記張力補正機構を作動させて、前記ベルトの張力を規定の張力に補正し、ベルトの伸びが交換の目安となる規定値に達する位置まで、前記張力補正機構が作動したことを検知するリミットスイッチを設けて検知し、制御装置によってベルトの交換時期をリモコン装置またはベルト張力の低下異常を知らせる点検ランプにベルト異常を発報するようにしたことを特徴とする空気調和装置。
【請求項４】
張力補正機構が、モータ台を移動させてベルト張力を補正するモータ台移動手段またはベルトを押圧して張力を調整するベルト張力調整手段であることを特徴とする請求項３に記載の空気調和装置。
【発明の詳細な説明】
【技術分野】
【０００１】
この発明はVベルト駆動の送風機を備えた空気調和装置に関するものである。
【背景技術】
【０００２】
従来のVベルト駆動の送風機を保持する空気調和装置は、一定の運転時間毎にベルトの張力を規定値に調整して合わせたり、送風機側プーリとモータ側プーリと芯ずれや平行度の調整などを行って保守を実施することで、正常な運転状態を維持していた。（例えば、特許文献１参照。）  
【０００３】
【特許文献１】特開平１１−３３６８６０号公報
【発明の開示】
【発明が解決しようとする課題】
【０００４】
しかしながら、前記した従来の空気調和装置では、保守点検の時期の目安となる運転時間を積算する積算時間計などを取付けて定期的に不具合を確認する必要があり、実用上おおまかな期間を目安として保守を行うことが多い。この場合、定期点検までの間にVベルトの緩みなどの状態が生じ正常な運転状態を維持できなくなる場合が多数見られ、適切な点検時期を知り保守を行うことが課題となっていた。
【０００５】
この発明は前記のような課題を解消するためになされたものであり、その目的はVベルトの保守点検時期を発報し、適切な点検時期を使用者に知らせることができる空気調和装置を提供することにある。
【課題を解決するための手段】
【０００６】
前記した目的を有効に達成するために、この発明の請求項１に記載の空気調和装置は、ベルト駆動の送風機を備えた空気調和装置において、送風機または送風機駆動用モータの駆動時間を積算すると共に、予め設定した所定の駆動時間と積算した駆動時間とを比較演算する積算制御装置とを備え、積算制御装置により積算した駆動時間が予め設定した所定の駆動時間に達したことを検出した時に、積算制御装置から空気調和装置を操作するリモコン装置またはベルト張力の低下異常を知らせる点検ランプにベルト異常を発報するようにしたことを特徴とする。
【０００７】
また、この発明の請求項２に記載の空気調和装置は、ベルト駆動の送風機を備えた空気調和装置において、ベルトを介して送風機を駆動させるモータのモータ固定台もしくはモータ脚部またはモータ固定台を設置する設置面に歪みセンサを設け、前記ベルトの張力低下によるモータ脚部またはモータ固定台の変位を歪みセンサによって検出し、予め設定した所定の変位量に達した時に、制御装置によって空気調和装置を操作するリモコン装置またはベルト張カの低下異常を知らせる点検ランプにベルト異常を発報するようにしたことを特徴とする。
【０００８】
また、この発明の請求項３に記載の空気調和装置は、ベルト駆動の送風機を備えた空気調和装置において、ベルトを介して送風機を駆動させるモータのモータ固定台もしくはモータのモータ脚部またはモータ固定台を設置する設置面に歪みセンサを設け、さらに、ベルトの張力を調整する張力補正機構を設け、ベルトの張力低下を前記歪みセンサによって検出した時に、手動または制御装置を介し張力補正機構を作動させて、ベルトの張力を規定の張力に補正し、ベルトの伸びが交換の目安となる規定値に達する位置まで、張力補正機構が作動したことを検知するリミットスイッチを設けて検知し、制御装置によってベルトの交換時期をリモコン装置またはベルト張力の低下異常を知らせる点検ランプにベルト異常を発報するようにしたことを特徴とする。
【０００９】
また、この発明の請求項４に記載の空気調和装置は、請求項３に記載の空気調和装置において、張力補正機構が、モータ固定台を移動させてベルト張力を補正するモータ固定台移動手段またはベルトを押圧して張力を調整するベルト張力調整手段であることを特徴とする。
【発明の効果】
【００１０】
この発明により、空気調和装置の正常な運転状態の維持を行う上で重要である送風機駆動用のベルトの保守を適切な時期に行うことができ、空気調和装置の性能の維持や故障の低減に対して大きな効果を得ることができる。
【発明を実施するための最良の形態】
【００１１】
以下、この発明を実施するための実施の形態を図に基いて説明する。
実施の形態１．
図１は空気調和装置におけるVベルト駆動の送風機１に関する図を示すものである。
図において、送風機１はシロッコファン２およびファンケーシング２ａ、送風機軸３、送風機側プーリ４、モータ５、モータ軸５ａ、モータ側プーリ６およびVベルト７により構成されており、モータ５はモータ固定台８にボルト１２により固定されている。
【００１２】
送風機１の設置にあたっては、送風機軸３とモータ軸５ａとが平行となるようにしてシロッコファン２およびファンケーシング２ａとモータ５とを配し、送風機側プーリ４とモータ側プーリ６とにVベルト７を掛け渡し、Vベルト７の張力が規定値の範囲内になるようにシロッコファン２またはモータ固定台５の設置位置を調整して設置する。
【００１３】
また、前記した送風機１を備えた空気調和装置においては、図示省略するが予め設定した所定の駆動時間と積算した駆動時間とを比較演算する積算制御装置と、空気調和装置を操作するリモコン装置または／およびベルト張力の低下異常を知らせる点検ランプを備えている。
【００１４】
次にこの実施の形態１における動作について説明する。
Vベルト７は使用時間が経過すると伸びを生じ緩みが発生する。そこでこの実施の形態１の空気調和装置においては、空気調和装置の運転中の送風機１またはモータ５の駆動時間を積算すると共に、予め設定した所定の駆動時間と積算した駆動時間とを積算制御装置（図示省略）によって比較演算する。そして積算制御装置（図示省略）により積算した駆動時間が予め設定した所定の駆動時間に達したことを検出した時に、積算制御装置（図示省略）から空気調和装置を操作するリモコン装置（図示省略）またはベルト張力の低下異常を知らせる点検ランプ（図示省略）にベルト異常を発報する。勿論、リモコン装置と点検ランプとの両方にベルト異常を発報してもよい。
【００１５】
以上のようにして定期的に異常発報するようにしているので、保守点検時期を容易に判断することができる。
【００１６】
実施の形態２．
以上の実施の形態１では、定期的に保守点検時期を発報するようにしたものであるが、次にVベルトの緩み量を検知し最適な保守点検時期を使用者に知らせる実施の形態２を説明する。
【００１７】
図２は空気調和装置におけるVベルト駆動の送風機に関する図を示すものである。
この図において、送風機１はシロッコファン２およびファンケーシング２ａ、送風機軸３、送風機側プーリ４、モータ５、モータ軸５ａ、モータ側プーリ６およびVベルト７により構成されており、モータ５はモータ固定台８にボルト１２により固定されている。また、モータ固定台８もしくはモータ脚部５ｂ（またはモータ固定台８を設置する設置面）にはVベルト張力検知用の歪みセンサ９が取付けられている。さらに、ベルト異常の発報等を制御する制御装置（図示省略）と、空気調和装置を操作するリモコン装置（図示省略）または／およびベルト張力の低下異常を知らせる点検ランプ（図示省略）を備えている。
【００１８】
この送風機１の設置にあたっては、実施の形態１と同様にして設置してある。
【００１９】
次にこの実施の形態２における動作について説明する。
Vベルト７は使用時間が経過すると伸びを生じ緩みが発生する。そこでこの実施の形態２の空気調和装置においては、Vベルト７の張力低下によるモータ脚部５ｂまたはモータ固定台８の変位を歪みセンサ９によって検出し、予め設定した所定の変位量に達した時に、制御装置（図示省略）によって空気調和装置を操作するリモコン装置（図示省略）またはベルト張カの低下異常を知らせる点検ランプ（図示省略）にベルト異常を発報する
【００２０】
以上のようにVベルト７は使用時間が経過すると伸びを生じ緩みが発生し、このときVベルト７がモータ固定台８を引っ張る張力の低下を歪みセンサ９で検知することにより、保守が必要となる時期を検知することが可能となる。
【００２１】
このようにVベルト７の張力低下量により保守点検時期を発報するようにしているので、最適な保守（Vベルト調整・交換）の時期を知ることができる。
【００２２】
実施の形態３．
以上の実施の形態１、２では、Vベルト７が緩んだ時に発報し調整を促すものであるが、実施の形態３では、前記実施の形態２においてVベルト７の張力低下を検知した時に指定の補正量まで自動で張力補正を行う張力補正機構を付加したものである。
【００２３】
図３は、このような場合のシステム構成を示す。１は以下の１〜１２の構成品からなる送風機１であり、シロッコファン２およびファンケーシング２ａ、送風機軸３、送風機側プーリ４、モータ５、モータ軸５ａ、モータ側プーリ６、Vベルト７、モータ固定台８、さらに９はVベルト張力検知用のひずみセンサ、１０ａは張力補正機構の一例である張力補正用のモータ固定台移動装置（モータ台移動手段）である。モータ固定台移動装置１０ａは小型モータとピニオンおよびモータ固定台８に固定されたラックからなる。１１は調整量検知用のリミットスイッチ、１２はモータ５をモータ固定台８に固定するボルトである。
【００２４】
次に実施の形態３の動作について説明する。
本形態３は前記した実施の形態２にさらに、あるVベルト張力まで張力低下が生じた時に、規定のVベルト張力となるように、張力補正用のモータ固定台移動装置１０ａによりモータ固定台８を移動させて張力補正を行う機能を加えたものである。
【００２５】
本形態３によると送風機１は常に正常な運転状態を保持することができる。その後、Vベルト７の伸び量が交換時期の伸び量に相当する調整量となった時に、リミットスイッチ１１で位置を検知し交換時期を示すために、制御装置（図示省略）によって空気調和装置に付属の点検ランプ若しくはリモコンに異常を発報する。
【００２６】
以上のように、Vベルトの緩みを交換時期まで自動調整するようにしているので、交換時の保守のみとすることができる。
【００２７】
実施の形態４．
本形態４は前記した実施の形態３において、Vベルトの張力補正機構をモータ固定台８が移動する機構から、送風機側プーリ４とモータ側プーリ６の中間に位置しVベルト７と接触しているテンションプーリ１０ｂ（ベルト張力調整手段）を動かすことによりVベルト７の張力補正を行う機構に変更したものである。  
【００２８】
図４は、このような場合のシステム構成を示す。１は以下の１〜１２の構成品からなる送風機であり、シロッコファン２およびファンケーシング２ａ、送風機軸３、送風機側プーリ４、モータ５、モータ軸５ａ、モータ側プーリ６、Vベルト７、モータ固定台８、さらに９はVベルト張力検知用の歪みセンサ、１０ｂは張力補正機構の一例であるVベルト張力補正用のテンションプーリ（ベルト張力調整手段、）、１１は調整量検知用のリミットスイッチ、１２はモータ５をモータ固定台８に固定するボルトである。
【００２９】
次に実施の形態４の動作について説明する。
本形態４は前記した実施の形態３において、Vベルト張力を補正するときにモータ固定台８を動かすことなく、テンションプーリ１０ｂを動かすことにより調整を行う機能を加えたものである。本形態４によると送風機１は常に正常な運転状態を保持することができる。その後、Vベルト７の伸び量が交換時期の伸び量に相当する調整量となった時にテンションプーリ１０ｂがリミットスイッチ１１に当たり交換時期を検知することで、制御装置（図示省略）によって空気調和装置に付属の点検ランプ若しくはリモコンに異常を発報する。
【００３０】
以上のように、Vベルトの緩みを交換時期まで自動調整するようにしているので、交換時の保守のみとすることができる。
【図面の簡単な説明】
【００３１】
【図１】この発明の実施の形態１における送風機１を示す断面図である。
【図２】この発明の実施の形態２における送風機１を示す断面図である。
【図３】この発明の実施の形態３における送風機１を示す断面図である。
【図４】この発明の実施の形態４における送風機１を示す断面図である。
【符号の説明】
【００３２】
１  送風機、５  モータ、７  Ｖベルト、８  モータ固定台、９  歪みセンサ、１０ａ  モータ台移動手段（張力補正機構）、１０ｂ  ベルト張力調整手段（張力補正機構）、１１  リミットスイッチ。
【図１】
2007255758.tif 000003
【図２】
2007255758.tif 000004
【図３】
2007255758.tif 000005
【図４】
2007255758.tif 000006